Podtech/llm-jp-corpus-v4-ja_patent huggingface dataset:
(57)【要約】【課題】本考案は、意匠性よりも経済性を優先させた、簡単で効率的な破風納め板を提供するものである。【解決手段】矩形状の破風納め板であって、横幅／縦幅比率が１．８以上２．０以下であり、かつ、縦幅寸法は４５０ｍｍ以上４７０ｍｍ以下である破風納め板である。この寸法の破風納め板であれば、ほとんどの軒の出長さの家屋に対応でき、しかもほとんどの屋根勾配にも対応できる。  しかも軒の出長さが小さい家屋の場合は、この破風納め板から、左右２つ分の破風納めを切断することができ、非常に経済的である。【選択図】図１
0003117145.tif 000002
【実用新案登録請求の範囲】
【請求項１】
矩形状の破風納め板であって、横幅／縦幅比率が１．８以上２．０以下であり、かつ、縦幅寸法は４５０ｍｍ以上４７０ｍｍ以下である破風納め板。
【考案の詳細な説明】
【技術分野】
【０００１】
本考案は、破風の端部に使用する破風納めに関するものである。
【背景技術】
【０００２】
従来から屋根の妻側には破風が取り付けられて化粧されており、その破風の端部には破風納めが施工されている。
そして、破風は下部に段部などを施してさらに意匠性を高められている。
しかしながら、その表面化粧に同調させるために、破風納めにも同様の化粧を施す必要があり、従来例のような５角形状の破風納め板や正方形状の破風納め板から、破風の表面化粧と同調して切断し、破風納めとしていたので、非常に効率が悪かった。
【特許文献１】特開２００４−２７８０４６号公報
【特許文献２】特開２００４−２８５６８７号公報
【考案の開示】
【考案が解決しようとする課題】
【０００３】
本考案は、意匠性よりも経済性を優先させた、簡単で効率的な破風納め板を提供するものである。
【課題を解決するための手段】
【０００４】
上記の課題を解決するために本請求項１に記載の考案は、矩形状の破風納め板であって、横幅／縦幅比率が１．８以上２．０以下であり、かつ、縦幅寸法は４５０ｍｍ以上４７０ｍｍ以下である破風納め板である。
【考案の効果】
【０００５】
この寸法の破風納め板であれば、ほとんどの軒の出長さの家屋に対応でき、しかもほとんどの屋根勾配にも対応できる。
しかも軒の出長さが小さい家屋の場合は、この破風納め板から、左右２つ分の破風納めを切断することができ、非常に経済的である。
【考案を実施するための最良の形態】
【０００６】
以下図面を用いて、本考案を実施するための最良の形態を説明する。
【実施例１】
【０００７】
図１は本考案の破風納め板（１）である。縦幅Ｘは４５０ｍｍ以上４７０ｍｍ以下であり、横幅Ｙは縦幅Ｘの１．８倍以上２．０倍以下である。
図２には、破風納め板（１）から破風納めを切り出す説明図であり、軒の出長さが大きいものは、１つの破風納め板（１）から１つの破風納めしか切り出せないが、軒の出長さが小さいものは、１つの破風納め板（１）から左右分の２つの破風納めを切り出すことができる。
この際、破風納めには破風に倣うような表面の凹凸意匠はなにも施されていないので、左右が逆になると施工できないなどということはなく、どちらにでも使用できる。
このとき、破風に施された塗装と同じ色、同じ手法、同じ塗布量で破風納めを塗装することで、破風との凹凸意匠性の隔たりは緩和される。
【０００８】
図３には、この破風納め板（１）から切り出した破風納め（１Ａ〜１Ｆ）を破風（２）に続けて施工した説明図である。
これ以外にもさまざまな軒の出長さ、屋根勾配に対応できる。
【０００９】
破風納め板（１）は、ガラス繊維混入セメント板、パルプ混入セメント押出成
形板、木繊維混入セメントけい酸カルシウム板、繊維混入セメントけい酸カルシウム板、硬質木片セメント板、スラグセメントパーライト板などが使用される。
【図面の簡単な説明】
【００１０】
【図１】本考案の破風納め板の説明図
【図２】本考案の破風納め板から破風納めを切り出す説明図
【図３】本考案の破風納め板から切り出した破風納めの施工説明図
【符号の説明】
【００１１】
１          破風納め板
１Ａ〜１Ｆ  破風納め
２          破風
【図１】
0003117145.tif 000003
【図２】
0003117145.tif 000004
【図３】
0003117145.tif 000005
(57)【要約】      （修正有）【課題】噴射口に凹凸瑕が付きにくく、且つ高圧、磨耗に耐える高圧スプレーのノズル構造を提供する。【解決手段】ノズル体１及び噴射口塊２を備え、そのうちノズル体１は鉄製のリング型帽子形状である。その中に噴射口塊２を結合する。噴射口塊２はガラス媒体リング２１及び陶磁リング２２を備える。陶磁リング２２内に噴射口２２１を設置する。更にノズル体１内はガラス媒体リング２１によって陶磁リング２２と結合することを最も主要な特徴とする。【選択図】図２
0003117161.tif 000002
【実用新案登録請求の範囲】
【請求項１】
ノズル体と噴射口塊とを備える高圧スプレーのノズル構造において、
リング型帽子形体で内部に噴射塊が結合されるノズル体を備え、
ガラス媒体リングと陶磁リングとを有し、陶磁リング内に噴射口が設置され、ノズル体内はガラス媒体リングによって陶磁リングと結合されていることを特徴とする高圧スプレーのノズル構造。
【請求項２】
前記ノズル体は、鉄製であることを特徴とする請求項１に記載の高圧スプレーのノズル構造。
【考案の詳細な説明】
【技術分野】
【０００１】
本考案は、高圧スプレーのノズル構造に関するもので、噴射口区に陶磁環を焼結成型して内部に設置するものである。
【背景技術】
【０００２】
一般にスプレーのノズルは金属製である。この構造は、成型がしやすいが、金属加工であるため、凹凸瑕が付きやすい。特に噴射口区Ａ１（噴射口を備える）は瑕が付きやすく、これらの凹凸瑕はスプレーの品質に影響する。更にこの噴射口区Ａ１は、長時間使用しているうちに、ミクロ霧が出なくなる。
【考案の開示】
【考案が解決しようとする課題】
【０００３】
解決しようとする問題点は、金属製であるため、凹凸瑕が付きやすく、使用の間に磨耗して霧の品質が下がる点である。
【課題を解決するための手段】
【０００４】
本考案は、ノズル体及び噴射口塊を備え、そのうちノズル体は鉄製のリング型帽子形状である。その中に噴射口塊を結合する。噴射口塊はガラス媒体リング及び陶磁リングを備える。陶磁リング内に噴射口を設置する。更にノズル体内はガラス媒体リングによって陶磁リングと結合することを最も主要な特徴とする。
（考案の効果）
本考案の高圧スプレーのノズル構造は、陶磁リングの焼結成型によって、噴射口に凹凸瑕が付きにくく、且つ高圧、磨耗に耐えるという利点がある。
【考案を実施するための最良の形態】
【０００５】
図１に示すとおり、本考案の一実施例による高圧スプレーのノズル構造は、ノズル体１及び噴射口塊２を備える。そのうち、ノズル体１は鉄製で、リング型帽子形状で、その中に噴射口塊２を結合させる。噴射口塊２は、ガラス媒体リング２１と陶磁リング２２を備え、陶磁リング内に噴射口２２１を設置する。つまり、ノズル体１内は、ガラス媒体リング２１によって陶磁リング２２が結合される。
本実施例を製造する時、ノズル体１、ガラス媒体リング２１及び陶磁リング２２をそれぞれ別に粉末焼結成型し、９００℃の高温と窒素で高圧焼成して一体にする。
図２は本考案の実施例で、ノズル体１及び噴射口塊２が噴射ヘッド３に結合された指示図であり、本実施例の実際の応用例である。
【図面の簡単な説明】
【０００６】
【図１】本考案の一実施例による高圧スプレーのノズル構造の断面図である。
【図２】本考案の一実施例による高圧スプレーのノズル構造の実施状態指示図である。
【図３】公知のスプレーのノズルの断面図である。
【符号の説明】
【０００７】
１  ノズル体、２  噴射口塊、２１  ガラス媒体リング、２２  陶磁リング、２２１  噴射口、３  噴射ヘッド
【図１】
0003117161.tif 000003
【図２】
0003117161.tif 000004
【図３】
0003117161.tif 000005
(57)【要約】【課題】  漢字の字形を整えて書く字形整正技能を容易に身につけるための右上がり６度の罫線を引いた練習用紙を提供する。【解決手段】  用紙（１）の記載面（２）に、右上がり６度の罫線（３）を引くとともに、硬筆書写練習用紙においては方眼目（４・５）を設けたことを特徴とする。【選択図】    図１
0003117197.tif 000002
【実用新案登録請求の範囲】
【請求項１】
紙面全面に、水平面に対する角度が６度強の罫線を引いた字形整正のための六度法文字練習用紙。
【考案の詳細な説明】
【技術分野】
【０００１】  本考案は、「きれいな字」を書く技能を身につけるための練習用紙である。
【背景技術】
【０００２】  従来、児童・生徒の国語科書写学習、及び、成人のペン習字で用いる文字練習用紙は、ノートのマス目に十文字の罫線が書かれているだけであった。文字の中心点がどこかということは、字形を整えるための必要条件ではないから、これらには支援効果がなかった。一方、書道塾に入門しても、そこでの助言は「お手本をよく見なさい」という精神論に近いもので、科学的・分析的な指針がなく、何年間もお稽古に通って勘や見当を身につけるほかなかった。
【考案の開示】
【考案が解決しようとする課題】
【０００３】    そのために次のような欠点があった。
イ．手書きする文字の横画は、右手に筆記具を持って、左から右に引いていくため、身体力学からしてやや右上がりとなるが、それに対応しない。
ロ．手書きする文字の手本となる石碑等の史料や、小・中学校で児童・生徒が手本とする教科書体活字は、６世紀初頭の中国の名人の筆跡であり、その横画はやや右上がりとなっている。それらが中国と日本とで千数百年にわたって手本とされてきた理由は、右上がり、及び、それを補完する右下重心によるバランスが、文字に安定感を与え、「美」を作り出しているからであるが、それに対応していない。
ハ．従来のノートは、ノートのマス目に十文字の罫線が入っているだけであるうえに横線が水平なので、学習者が横線の右上がり具合を習得するのを支援する効果がない。
本考案は、以上の問題点を解決するためになされたものである。
【課題を解決するための手段】
【０００４】  用紙（１）に、右上がり６度の角度を有する罫線（３）を、平行・等間隔に複数表示する。
硬筆書写練習用紙（１ａ）は、小学生から成人までの発達段階に応じた文字の大きさを想定し、３０ミリ〜１５ミリ間隔で横線（４）と縦線（５）を等間隔に表示して方眼目を設け、この枠内を文字記載面（２）とする。
毛筆書道練習用紙（１ｂ）は、右上がり６度の罫線（３）のみを、平行・等間隔に無数に引く。
本考案は、以上の構成よりなる右上がり６度法による文字練習用紙である。
【考案の効果】
【０００５】  漢字・平仮名・片仮名の字形を整え、「きれいな字」を書く技能を身につけることができる。
【考案を実施するための最良の形態】
【０００６】以下、本考案の実施の形態を説明する。
（イ）  用紙（１ａ・１ｂ）に右上がり６度の角度（８）を有する罫線（３）を複数表示する。。
（ロ）  考案を実施する際の形態は、用途に応じて、次の二通りとする。
Ａ  硬筆書写練習用紙（１ａ）は、小学生から成人までの発達段階に応じた文字の大きさを想定して、３０ミリ〜１５ミリの横線（４）と縦線（５）よりなる方眼目を形成し、文字記載面（２）とする。
Ｂ  毛筆書道練習用紙（１ｂ）は、右上がり６度の罫線（３）のみを表示する。
本考案は、以上の構成よりなっている。
本考案を使用することで、次のようにして漢字の字形を整えることができる。
横画は、右上がり６度の罫線（３）をインジケーターにして引くようにする。その際、上からなぞってもよいし、「目・耳・青・事・書」のように何本かの横書が平行する字においては、６度の罫線（３）を目安にしてこれと平行させて引くようにすればよい。また、「川」では第１〜３画の始筆を、「谷」では、第１〜２画の始筆を６度の罫線（３）の上に置いて右上がりにすることができる。さらに、「図」では、第３〜５画の始筆を、同じく６度の罫線（３）を利用して右上がりにするという使い方もできる。
ただし、この「右上がり六度法」だけでは字が傾いてしまうので、その点を補完するために一つの文字の右側下部に重心（６）をかけるようにする「右下重心法」を併用する。さらに、同方向に平行する横線を等間隔幅（７）にする「等間隔法」を利用することもできる。つまり、漢字の字形を整えて書くことは、「右上がり６度法・右下重心法・等間隔法」によって誰にでも簡単に達成できるものであり、本発明はその基盤となるものである。【０００７】  この罫線を半紙に施せば、毛筆書道を短期間に上達させるうえでも効果がある。
また、手書きのための様々な用紙に施せば、「きれいな字」を簡単に書くことができる。
【図面の簡単な説明】
【０００８】
【図１】本考案の硬筆練習用紙の正面図
【図２】本考案の毛筆練習用紙の正面図
【図３】本考案の拡大正面図
【図４】本考案の要部拡大図
【図５】本考案の使用状態を示す図
【符号の説明】
【０００９】１  用紙
２  文字記載面
３  右上がり６度の罫線
４  方眼目をなす横線
５  方眼目をなす縦線
６  重心
７  等間隔幅
８  右上がり６度の角度
【図１】
0003117197.tif 000003
【図２】
0003117197.tif 000004
【図３】
0003117197.tif 000005
【図４】
0003117197.tif 000006
【図５】
0003117197.tif 000007
(57)【要約】【課題】  本考案は、波目刃の刃部を改色して、草の根・茎を引っ掛けて切らずに根ごと除草し、また溝や砂利の間等狭い場所での除草に効果を発揮する草取り鎌を提供する。【解決手段】  本考案の３刃体部を狭く弓状に１刃先を先細に構成する。４波目刃、５窓付波目刃１、６窓付刃の２刃部と８逆Ｕ字型切り欠き刃部をそれぞれ深く構成する。【選択図】図６
0003117196.tif 000002
【実用新案登録請求の範囲】
【請求項１】
刃体部を狭く略Ｌ字状で刃先を先細に刃体部を弓状に構成し、刃部は波目刃、窓付刃、窓付波目刃１のいずれかの組み合わせで構成することもできる。
（イ）波目刃においては従来の倍以上に波目刃を深く形成する。
（ロ）窓付刃は従来の鎌用刃に逆Ｕ字型の切り欠きを設ける。
（ハ）窓付波目刃１は深く形成した波目刃と逆Ｕ字型切り欠き部を１対１の割合で弓状に形成する。
上述のごとく構成されたことを特徴としうる草取り鎌の刃部。
【考案の詳細な説明】
【技術分野】
【０００１】  本考案は草取り鎌の刃部の改色に関するものである。
【技術分野】
【０００２】  従来の波目刃においては、ナイフ、又は包丁の刃部に構成するために考案されたものであり、それがために波目刃が極端に浅かった。
（ロ）の窓付刃においては、このように構成された刃部の形状のものは無かった。
（ハ）窓付波目刃１においても、このような刃部に構成されたものは無かった。
【考案の開示】
【考案が解決しようとする課題】
【０００３】  草取り鎌とナイフ及び包丁は使用方法目的が極端に異なる。ナイフや包丁においては切ることが目的で、波目刃が深いと引っかかって切れない。そのために波目刃を浅く構成している。それがためにすぐに刃が減ってしまう大きな欠点があった。また波目刃が浅いと茎や根まで切れてしまう問題もあった。また波目刃においては、切れ味が悪くなった場合砥石で研ぐことは不可能であった。本考案は、上述の大きな問題点を解決するためになされたものである。
【課題を解決するための手段】
【０００４】  本考案（イ）の波目刃においては波目刃を従来の倍以上に深く構成する。（ロ）の窓付刃においては、従来の鎌用の刃に逆にＵ字型の切り欠き部を深く構成する。（ハ）の窓付波目刃１には波目刃と逆Ｕ字型の切り欠き部を１対１の割合で弓状に交互に深く構成する。上述のごとく構成したので前述の問題点を解決した。
【考案の効果】
【０００５】  上述の構成により本考案（イ）の波目刃においては草の茎や根を切ることもなく、茎や根を強固に引っ掛けて残根を残さず除草できる。（ロ）の窓付刃においては従来の鎌用刃と同様に砥石で簡単に研ぐことができ、研ぐたびに刃の角が鋭利になり、茎や根に引っ掛けて除草し、除草後の草集めにも適している。（ハ）窓付波目刃１においては（ロ）の窓付き刃同様に、波目刃が失われても（ロ）窓付き刃と同じ作用と効果が期待できる。砂利の中側溝の隙間、苗床、芝生の中等雑草を手際よく簡単に除草できる。
【考案を実施するための最良の形態】
【０００６】  板厚２，５〜３，５ｍｍ厚のステンレス鋼、又は特殊鋼を素材に刃板部を狭く略Ｌ字状で刃先を先細に刃体部は弓状に構成し刃部は波目刃、窓付刃、窓付波目刃１のいずれかで構成する。またいずれかの組み合わせで構成することもできる。波目刃、逆Ｕ字型切り欠き部においては深く構成する。柄に刃体の基部の先端を差し込み鋲で強固に固定する。
【実施例】
【０００７】    以下添付図面参照にて実施例を説明する。
３〜３，５ｍｍの板厚ステンレス鋼及び特殊鋼を素材に３刃板部を狭く、略Ｌ字状に１刃先を先細に３刃体部を弓状に構成する。４波目刃、６窓付刃、５窓付波目刃１においては４波目刃と６窓付刃を深く構成する。本考案は以上のような２刃体部の構成であるから、これを使用するときは、柄を持って２刃部を草の根や茎に引っ掛けて根ごと引き抜き、短い根の草の場合は土をけずるように、又土に刺したり土をかいたりして使用する。
【図面の簡単な説明】
【０００８】
【図１】従来の鎌用の刃
【図２】従来の波目刃
【図３】本考案の波目刃
【図４】本考案の窓付波目刃１
【図５】本考案の窓付刃
【図６】本考案窓付刃構成の草取り鎌の正面図
【符号の説明】
【０００８】１刃先
２刃部
３刃体部
４波目刃
５窓付波目刃１
６窓付刃
７鎌用刃部
８逆Ｕ字型切り欠き刃部
【図１】
0003117196.tif 000003
【図２】
0003117196.tif 000004
【図３】
0003117196.tif 000005
【図４】
0003117196.tif 000006
【図５】
0003117196.tif 000007
【図６】
0003117196.tif 000008
(57)【要約】【課題】  電気自動車の充電に従来からの太陽電池モジュールだけでなく、風力による風力発電機を併せ持ち電気を充電する方法を提供する。【解決手段】電気自動車の屋根に太陽電池モジュールと風力発電機本体を取付、駐車時においてプロペラは、風上に向かい回転することにより発電し直接電気自動車に充電する事が出来る。一方、電気自動車が走行するときには、始動のためのスタートスイッチを入れると風力発電機本体のプロペラを上向きにして風の抵抗を受けなくして走行する。【選択図】図１
0003117199.tif 000002
【実用新案登録請求の範囲】
【請求項１】
電気自動車の屋根に太陽電池モジュールと風力発電機本体を設け、電気自動車が駐停車して、その後  始動するためにスタートスイッチを入れると風力発電機本体のプロペラが上を向いて車の走行時に風の抵抗を受けないようにしたことを特長とする風力発電機付きソーラーカー。
【考案の詳細な説明】
【技術分野】
【０００１】  この考案は、自動車の屋根に風力発電機を取付た後、車の走行時には風車の羽根に受ける風の抵抗を少なくするために羽根が上向くようにし、車の駐車時には羽根に風が当たり回転し発電する様に車の屋根に対して風車の中心軸が水平になる風力発電機付きソーラーカーに関するものである。
【背景技術】
【０００２】（イ）従来、電気自動車の屋根に太陽電池モジュールを取り付け太陽の光で充電し走行している。
（ロ）従来、風力発電機は地上に直接設置して、受ける風で風車の羽根を回し発電し充電もしくは送電を行っている。
【考案の開示】
【考案が解決しようとする課題】
【０００３】  そのために次のような問題点があった。
（イ）太陽電池モジュールの発電は、昼間だけで  曇りや雨の日だと十分な発電量が得られない。
（ロ）風力発電機による発電を車に取り込むためには、決められた場所にてケーブルを車と充電器とをつないで車に充電を行なはなくてはならない。
本考案は、以上の問題点を解決するためになされたものである。
【課題を解決するための手段】
【０００４】  車の屋根の部分に太陽電池モジュールだけでなく、風力発電機を取り付ける。以上を特徴とするソーラーカーである。
【考案の効果】
【０００５】  風力発電機を車に取り付けることにより、２４時間  昼間だけでなく夜も曇りや雨の日も風が吹いていれば、風車の羽根が回りどこでも車に電気を充電することができる。
【考案を実施するため最良の形態】
【０００６】  以下、本考案の実施の形態を説明する。
（イ）電気自動車（Ａ）の屋根に太陽電池モジュール（Ｂ）を取付た時、その上に支柱（８）を垂直に立て風力発電機本体（Ｃ）を取り付ける。または、電気自動車（Ａ）の屋根に支柱（８）を垂直に立て風力発電機本体（Ｃ）を取付、その上部に太陽電池モジュール（Ｂ）を電気自動車（Ａ）の屋根からのびた複数の足（１３）で支え取り付ける。
（ロ）風力発電機本体（Ｃ）は、風上に向かってプロペラ（１）があり、中心軸（３）を介して発電機（２）が後に付いている。プロペラ（１）が風を受け回転する事により発電する。発電された電気は、コントローラーに行く。コントローラーは、電流が逆流しない為にあり、さらにコントローラーから充電機へと電流がながれて、充電機に電気は充電される。
（ハ）プロペラ（１）と発電機（２）をつなぐ中心軸（３）に対して、直角に回転中心軸（１０）を発電機（２）の後に付ける。。
（ニ）電気自動車（Ａ）の屋根に付けた支柱（８）の上部には、風力発電機本体（Ｃ）を支える目的で直角になった保持部（５）があり支柱（８）を中心に回転する。
（ホ）保持部（５）の内角で、回転中心軸（１０）を支え且つ止めている。また  保持部（５）の直角に立った部分の外側に風向き尾翼（４）を取り付ける。
（ヘ）保持部（５）の内角付近に、回転調整ギア付モーター（９）があり、ギアを介て回転中心軸（１０）を回すことにより風力発電機本体（Ｃ）が動く。
（ト）風力発電機本体（Ｃ）は保持部（５）の先端近くにある留め具凹（６）に発電機（２）の背の部分にある留め具凸（７）が合わさることにより固定される。
（チ）留め具凹（６）の近くに回転調整ギア付モーター（９）の回転を止めるモーター切りスイッチ（１２）があり、留め具凸（６）が合わさると同時に働く。
（リ）回転調整ギア付モーター（９）の起動は、車のスタートスイッチに連動したモーター回転スイッチ（１１）になっている。
本案は以上のような構成になっており、これを使用するときには、
（ａ）通常  車が駐車しているときには風力発電機本体（Ｃ）は、車の屋根に対して水平にして  プロペラ（１）が風の抵抗を受ける様にする。
（ｂ）車のスタートスイッチを入れると同時にモーター回転スイッチ（１１）が働き、回転調整ギア付モーター（９）が回りだし、回転中心軸（１０）を中心にして風力発電機本体（Ｃ）が上に動き  プロペラ（１）が上向きになり、車の走行時にはプロペラ（１）は風の抵抗を受けない。
（ｃ）発電機（２）の背についた留め具凸（６）が保持部（５）の直角に立った先端近くの留め具凹（７）に収まり固定されると同時にモーター切りスイッチ（１２）が働き回転調整ギア付モーター（９）の動きが止まる。
（ｄ）車のスイッチを切ると同時にモーター回転スイッチ（１１）が働き、回転調整ギア付モーター（９）が回り回転中心軸（１０）を中心にして風力発電機本体（Ｃ）が水平になる。
（ｅ）このとき発電機（２）の背についた留め具凸（６）が支柱（８）の上の車の屋根に水平になっている保持部（５）の先端近くの留め具凹（７）に収まることによりモーター切りスイッチ（１２）が働き回転調整ギア付モーター（９）が止まり風力発電機本体（Ｃ）も固定される。
【図面の簡単な説明】
【０００７】
【図１】  本考案の取付状態を示す斜視図
【図２】  本考案の他の取付状態を示す断面斜視図
【図３】  本考案の風力発電機本体上面図
【図４】  本考案の走行時の斜視図
【図５】  本考案の駐停車時の使用状態を示す側面図
【図６】  本校案の走行時の使用状態を示す側面図
【図７】  本考案の要部の断面概容図
【符号の説明】
【０００８】  （１）    プロペラ
（２）    発電機
（３）    中心軸
（４）    尾翼
（５）    保持部
（６）    留め具凸
（７）    留め具凹
（８）    支柱
（９）    回転調整ギア付モーター
（１０）  回転中心軸
（１１）  モーター回転スイッチ
（１２）  モーター切りスイッチ
（１３）  足
（Ａ）    電気自動車
（Ｂ）    太陽電池モジュール
（Ｃ）    風力発電機本体
【図１】
0003117199.tif 000003
【図２】
0003117199.tif 000004
【図３】
0003117199.tif 000005
【図４】
0003117199.tif 000006
【図５】
0003117199.tif 000007
【図６】
0003117199.tif 000008
【図７】
0003117199.tif 000009
(57)【要約】      （修正有）【課題】伸縮性のストラップに伸縮機能だけでなくデザインを付加させることを目的としたものである。【解決手段】携帯電話やデジタルカメラ等の落下防止に利用されている伸縮性を有しているストラップに、ストラップ部本体に各種キャラクター等の形状を付加し且つキャラクター等のデザイン自体が伸縮性を有するデザインストラップ（１）。【選択図】図４
0003117191.tif 000002
【実用新案登録請求の範囲】
【請求項１】
携帯電話やデジタルカメラ等の落下防止に利用されている伸縮性を有しているストラップに、ストラップ部本体に文字及び各種キャラクター等のデザイン形状を付加し、且つそのデザイン形状自体が伸縮性を有するデザインストラップ（１）。
【考案の詳細な説明】
【考案の詳細な説明】
【産業上の利用分野】
【０００１】  この考案により、従来は伸び縮みの機能のみ有していた伸縮性ストラップに、伸縮部にさまざまなデザインを付加することにより、意匠性を増すことが可能となる。
【背景技術】
【０００２】  従来の伸縮機能があるストラップは、コイル状、ジャバラ状やゴム製のものなど機能のみを追及した製品しかなかった。
【考案が解決しようとする課題】
【０００３】  本考案は、従来伸縮の機能しか保有していなかった伸縮ストラップにデザイン性を付加したものである。
【課題を解決するための手段】
【０００４】  本考案は、ストラップ伸縮部に伸縮性のある合成樹脂を使用する。中でも加工性が優れ、強度が実証されているポリウレタンペレット材を使用し、成型金型でストラップ本体部に輪郭だけで表現されたキャラクター等のデザインを施しインジェクション成型で製造することができる。また、厚さ２ｍｍ程度の伸縮性ポリウレタンシートをデザイン通りにレーザーカットする方法、さらに厚さ５〜１５ｍｍ程度の厚みの伸縮性ポリウレタンシートの断面方向からデザインをくり貫き、細くスライスすることによりストラップ本体を製造する方法もある。上述種々の方法によりストラップ本体にデザインを施し、ポリウレタン樹脂自体の伸縮性と、輪郭のみでデザインされたキャラクターが伸びて扁平になり、縮んで元のデザインに戻ることによりストラップ本体に伸縮性を持たせることができる。
【作用】
【０００５】  本考案は、前述の手段を講じたので、使用に際しては携帯電話のストラップとして使用した場合を例にとると、伸縮性デザインストラップの片方を携帯電話等に接続し、もう一方を支持材に固定し携帯電話を支持材から引き離すことによってストラップ部本体のキャラクター等デザインが扁平になり且つ伸び、また携帯電話を再び支持材に近づけることによりキャラクターの扁平状態が戻り且つ伸びていた素材自体も元に戻ることにより、伸縮自在のストラップの用を成すものである。
【実施例】
【０００６】  以下、本考案の実施例を図面に従って説明する。【０００７】  伸縮性デザインストラップ本体の成型金型をつくり、インジェクション成型で図１のデザインストラップ（１）を製造する。素材としては伸縮性があり、強度が実証されているポリウレタン樹脂を使用する。【０００８】  デザイン形状として、例としてハートデザインの伸縮性ストラップを作成する場合、図１のように小さなハートデザインの連続柄にし、デザインストラップ（１）本体の厚みを２ｍｍ程度の帯状にして強度を確保しつつ伸縮性を確保する。【０００９】  デザインストラップ（１）本体が伸びて、デザイン部のキャラクターが扁平に伸びた状態を図２に示す。【００１０】  また、デザインストラップ（１）の成型時に両端に丸環（４）等が取り付け易いように松葉状の紐（２）を溶着せず、図１のように両端に穴の開いた形状にすることもできる。【００１１】  伸縮性デザインストラップの製造方法として、上述のインジェクション成型でなく、厚さ２ｍｍ程度のポリウレタンシートをレーザーカットもしくはプレス加工でデザイン通りに抜き、上述と同種のデザインストラップ（１）を製造することも可能である。【００１２】  デザインストラップ（１）の片方の端は、松葉状の紐（２）を溶着し、もう片方は成型時に丸環（４）等が取り付けやすいように穴の開いた形状にする。このデザインストラップ（１）の斜視図を図３に示す。【００１３】  キャラクターデザインを拡大することにより、扁平度合いが増し、より伸縮性が増した製品を提供することができる。【００１４】  図１のデザインストラップ（１）の大きさをデザイン幅１２ｍｍ、長さ４５ｍｍ、厚さ２．０ｍｍで製造し、両端を延ばし最大長９０ｍｍ（伸縮率２００％）まで伸びることが確認された。【００１５】  本考案のデザインストラップ（１）は伸縮性を保持しつつ、なお且つ任意のデザインをストラップ本体に形状として表現できるメリットがある。【００１６】  図４にデザインストラップ（１）を携帯電話（３）に取り付けもう一方に丸環（４）、支持材等になるプレート類（５）を取り付け、実際の使用状況を模したものを示す。
【考案の効果】
【００１７】  前述したように、本考案のデザインストラップ（１）は、ストラップ本体にデザイン性を付加できるので、キャラクター製品に利用することができ、またそのデザインによって商品自体の価値を増すことができる。
【図面の簡単な説明】
【図１】    デザインストラップ（１）の斜視図
【図２】    デザインストラップ（１）が伸びた状態の斜視図
【図３】    デザインストラップ（１）に松葉状の紐（２）を取り付けた斜視図
【図４】    デザインストラップ（１）の使用状況の斜視図
【符号の説明】
１．  デザインストラップ
２．  松葉状の紐
３．  携帯電話
４．  丸環
５．  プレート類
【図１】
0003117191.tif 000003
【図２】
0003117191.tif 000004
【図３】
0003117191.tif 000005
【図４】
0003117191.tif 000006
(57)【要約】      （修正有）【課題】腐りにくく能率的なデッキ材の取り付け方法及び取り付け金物を提供する。【解決手段】本考案によりデッキ材を取り付けるビス等はデッキ材の下面にありビス穴等が表面に露出しないため雨水等の浸入がしにくく、腐敗もしにくい。また複数のデッキ材をパネル化するため工場生産も可能となり現場での工程が簡略化される。【選択図】図１
0003117193.tif 000002
【実用新案登録請求の範囲】
【請求項１】
上面にデッキ材を取り付けるための皿ビス穴を複数持ち端部側面に大引き等に本体をとりつけるためのビス穴を一箇所持ち、反対側上端を先に取り付けたデッキ材と大引き等の間に差し込む差込代としたことを特徴とした木製デッキ材取り付け金物。
【請求項２】
前記差込代を受ける最初の木製デッキ材を取り付けるための、上面に木製デッキ材を取り付ける二箇所の皿ビス穴及び端部側面に大引き等に本体をとりつけるためのビス穴を一箇所持ち、反対側側面に先に大引き等に取り付けたビス頭を引っ掛ける引っ掛け溝を持つスターター金物。
【考案の詳細な説明】
【技術分野】
【０００１】この考案は木製デッキのデッキ材取り付け金物の形状に関する。
【背景技術】
【０００２】従来の木製デッキのデッキ材は上面から直接ビス等をうち大引き等にとりつけるものである。
【考案の開示】
【考案が解決しようとする課題】
【０００３】しかしながら、以上の技術によればデッキ材にあけられたビス等の穴から雨水が浸入しデッキ材の腐敗を助長する。しかも一枚毎の作業であるためすべて現場作業となり能率が悪い。
そこでこの考案は腐りにくく能率的なデッキ材の取り付け方法及び取り付け金物を提供することを課題とする。
【課題を解決するための手段】
【０００４】以上の課題を解決するために、第一考案は、上面にデッキ材を取り付けるための皿ビス穴を複数持ち端部側面に大引き等に本体をとりつけるためのビス穴を一箇所持ち、反対側上端を先に取り付けたデッキ材と大引き等の間に差し込む差込代としたことを特徴とした取り付け金物である。
また第二発明は、前記差込代を受ける最初のデッキ材を取り付けるため上面にデッキ材を取り付けるための二箇所の皿ビス穴及び端部側面に大引き等に本体をとりつけるためのビス穴を一箇所持ち、反対側側面に先に大引き等に取り付けたビス頭を引っ掛ける引っ掛け溝を持つスターター金物である。
【考案の効果】
【０００５】第一考案、第二考案によればデッキ材を取り付けるビス等はデッキ材の下面にありビス穴等が表面に露出しないため雨水等の浸入がしにくく、腐敗もしにくい。また複数のデッキ材をパネル化するため現場での工程が簡略化される。
【考案を実施するための最良の形態】
【０００６】まずデッキ材を張り始める位置にスターター金物２を取り付けるためのビス３を大引きにうつ。この際にスターター金物２を定規として使いビス頭を金物の厚み分浮かせる。次にデッキ材を取り付けたスターター金物２の引っ掛け溝５を前記のビス３に引っ掛け、差し込み、金物側面のビス穴６を使い大引きにビスでとめる。次に取り付け金物１に三枚あるいは二枚のデッキ材を取り付けパネル化し金物の差込代７を先に取り付けたデッキ材と大引きの隙間に差し込み金物側面のビス穴６を使い大引きにビスでとめる。
【図面の簡単な説明】
【０００７】
【図１】この考案の一実地形態を示す図面である。
【図２】この考案の具体的な形状を示す図面である。
【図３】この考案の具体的な形状を示す図面である。
【符号の説明】
【０００８】１  取り付け金物    ２  スターター金物    ３  先付け丸頭ビス    ４  木製デッキ材取り付け用皿ビス穴    ５  引っ掛け溝    ６  本体取り付け用ビス穴    ７  差込代
【図１】
0003117193.tif 000003
【図２】
0003117193.tif 000004
【図３】
0003117193.tif 000005
(57)【要約】      （修正有）【課題】運動時、屋内外での作業時、睡眠時に首に巻いたタオルがはずれる事のないネックタオルを提供する。【解決手段】ネックタオルの長辺と長辺の中間位置で短辺の端から１２〜１４ｃｍの位置（ゴム輪はタオルの厚みにより大きさが変わる）にゴム輪を取り付ける。ネックタオルは一枚（一重）の物と二つ折り（二重）にし輪以外の３辺を縫い合わせた物とする。ネックタオルのゴム輪の取り付け位置（ネックタオルの短い辺の端から約１２〜１４ｃｍ前後の所で長辺と長辺の中央）にゴム輪をつけて１ｃｍほど縫う。ゴム輪のついていない反対の先端をゴム輪に通すことによりほどよく固定されているので首に巻いていてもはずれる心配がなく、長時間巻いていても両手が自由に使えるので安心で楽である。【選択図】図４
0003117192.tif 000002
【実用新案登録請求の範囲】
【請求項１】
ネックタオルの片方の端から１２ｃｍ〜１４ｃｍの位置にパイル地等の（直径約４ｃｍ）ゴム輪を取り付け、ゴム輪に反対側のタオルを通し首に巻いてもはずれる事無く巻いた状態を維持出来るネックタオル。
【考案の詳細な説明】
【考案の詳細な説明】
【技術分野】
【０００１】本考案は、タオル地ガーゼ地（綿１００％）で製作されたネックタオルに関するものである。身体の首に使用するネックタオルは風邪予防やのどを保護し、又汗を拭くことも出来る。睡眠時、運動時、作業時にネックタオルを巻いてゴム輪に反対側の先端を通す事で、はずれないものである。
【背景技術】
【０００２】従来、スポーツやウオーキングなどの運動時、庭仕事など屋内外の作業する時又は睡眠時に首にタオルを巻き付けるだけか巻いたタオルを結んだりしていた。タオルがはずれてしまい、きつさ加減も調整出来ず途中で結び直す必要があり非常に不便であるという問題点を有していた。
【考案が解決しようとする課題】
【０００３】ところがスポーツやウオーキングなどの運動時、屋内外での作業時睡眠時、首に巻いたタオルが風で飛んだり結んだタオルがほどけたりしていたが、ネックタオルを首に巻いてゴム輪に反対側の先端を通す事によってきつくしたりゆるくしたり各個人に合わせて調整し固定できるものである。
【課題を解決するための手段】
【０００４】本考案は、タオル地ガーゼ地（綿１００％）で製作されたネックタオルに関するものであって、ネックタオルの短辺の片方にパイル地等の（約４ｃｍ）ゴム輪を取り付けてもう片方の先端部をゴム輪に通し好みの位置で固定し運動時、作業時、睡眠時にもはずれる事がなく、のどを保護し吸水性、通気性、保温性が高い首に巻くネックタオルを提供する。
【考案を実施するための最良の形態】
【０００５】ネックタオルの長辺と長辺の中間位置で短辺の端から１２〜１４ｃｍの位置（ゴム輪はタオルの厚みにより大きさが変わる）にゴム輪を取り付ける。ネックタオルは一枚（一重）の物と二つ折り（二重）にし輪以外の３辺を縫い合わせた物とする。【０００６】ネックタオルのゴム輪の取り付け位置（ネックタオルの短い辺の端から約１２〜１４ｃｍ前後の所で長辺と長辺の中央）にゴム輪をつけて１ｃｍほど縫う。【０００７】本考案のネックタオルはタオル地、ガーゼ地（綿１００％）だから洗濯ができる。吸水性に優れているので汗をかく運動時、作業時、睡眠時などに使用する事ができる。【０００８】本考案のネックタオルはゴム輪のついていない反対の先端をゴム輪に通すことによりほどよく固定されているので首に巻いていてもはずれる心配がなく、長時間巻いていても両手が自由に使えるので安心で楽である。【０００９】ネックタオルに取り付けたゴム輪はパイル地等を使用する事により、ゴム輪のついてない方の端をゴム輪に通したりはずしたりが簡単にスムーズに出来、各個人の好みに応じてきつさ加減の調整が自由自在である。
【考案の効果】
【００１０】以上のように、請求項１記載の考案により今まで不可能であった首に巻いたタオルがはずれない為安心して眠る事が出来る。風邪の時や声を出す人等ののどを保護、屋内外での仕事、スポーツの時などにも首に巻いたまま動いてもはずれないので長時間使用しても気にならない物である。
【図面の簡単な説明】
【図１】首に巻いた状態の全体図である。
【図２】ネックタオルの断面図である。
【図３】ネックタオルの一重の平面図である。（１）（２）（３）はネックタオルの両端の形状である。
【図４】ネックタオルの二つ折（二重）の状態を表す平面図である。（１）（２）（３）はネックタオルの両端の形状である。
【符号の説明】
Ａ−Ｂ・Ｃ−Ｄ・Ｊ−Ｋ  ネックタオルの長さ
Ａ−Ｊ・Ｂ−Ｋ          ネックタオルの幅
Ｅ−Ｆ                  Ｊ−Ｃからゴム輪までの長さ
Ｆ                      ゴム輪の取り付け位置
Ｇ−Ｈ                  ゴム輪の直径
Ｊ−Ｋ                  タオルの二つ折り線（輪）
Ｊ                      Ａ−Ｃの中心
Ｋ                      Ｂ−Ｄの中心
Ｅ                      Ａ−Ｊの中心
Ｌ                      ゴム輪
【図１】
0003117192.tif 000003
【図２】
0003117192.tif 000004
【図３】
0003117192.tif 000005
【図４】
0003117192.tif 000006
(57)【要約】【課題】滑り防止と同時に、布の表面に図案或いは、文字を印刷することが可能であるという効果を備える運動マットを提供する【解決手段】運動マット１０は、一つの発泡層１２と、一つの布層１４が相対で貼り合わされてなる。布層１４は、表面に多数の通し孔２２がある布材（網布でも良い）である。発泡層１２と布層１４の貼り合せの方式は、布層１４を滑り防止効果がある発泡材料の上に平らに敷いた後に加圧で発泡成形し、発泡材料を発泡層１２に成形する。発泡材料は加圧の過程中に、布層１４の通し孔２２から、布層１４の表面に突伸することが可能である。これによって、発泡層１２に一つの板体２４と、多数個の布層１４の表面に突伸した突き上げ２６を形成する。又、布層１４の表面は、更に図案或いは文字を印刷することが可能である。多数の突き上げ２６によって滑り防止の効果を生じる。【選択図】図２
0003117371.tif 000002
【実用新案登録請求の範囲】
【請求項１】
一つの発泡層と、一つの布層とを備える運動マットであって、
発泡層は、一つの板体と、複数の板体上に突設されている突き上げとがあって、
布層は板体の表面に貼り置かれ、上には多数の通し孔が設けられ、
各突き上げは、個別に通し孔からやや布層に突き出していることを特徴とする運動マット。
【請求項２】
布層の表面は、図案或いは文字が印刷されていることを特徴とする請求項１記載の運動マット。
【請求項３】
発泡層及び布層は、直接に発泡圧合で形成することを特徴とする請求項１記載の運動マット。
【請求項４】
発泡層及び布層は、発泡圧合した後に、布層の表面に図案或いは文字を印刷することを特徴とする請求項２或いは３記載の運動マット。
【請求項５】
布層の表面は、事前に図案或いは文字を印刷した後に発泡層と発泡圧合することを特徴とする請求項２或いは３記載の運動マット。
【請求項６】
個別の突き上げは、柱状になっていることを特徴とする請求項１記載の運動マット。
【請求項７】
布層は、網布であることを特徴とする請求項１記載の運動マット。
【考案の詳細な説明】
【技術分野】
【０００１】
本考案は、運動用品に関し、特に運動マットに関する。
【背景技術】
【０００２】
伝統の運動マットは、大部分は発泡材料の発泡によってなる発泡マットで作られている。それは、発泡材料の滑り防止性を利用して、使用者をマットの上で肢体の伸展の運動を進行する。
【考案の開示】
【考案が解決しようとする課題】
【０００３】
しかし、発泡材料で作った発泡マット体の表面は、容易にきれい或いは多彩なる図案、或いは文字を印刷することができないので、ある業者は、発泡マット体の表面を利用して、それに一層の布を貼りつける方式で、布の表面に図案或いは文字を印刷する効果を達成させている。この場合、布の滑り防止の性能は悪く、ただ図案或いは文字を印刷することができるのみで、使用時は逆に動作の進行が順調に行われることに影響する。
【０００４】
従来の運動マットは、滑り防止の効果と、布の表面に図案或いは、文字を印刷することが可能であるという二つの効果を同時に得ることができないという問題がある。
【０００５】
したがって本考案の目的は、滑り防止と同時に、布の表面に図案或いは、文字を印刷することが可能であるという効果を備える運動マットを提供することにある。
【課題を解決するための手段】
【０００６】
上述の目的を達成するために本考案の請求項に記載の運動マットは、一つの発泡層と、一つの布層を含む。この運動マットを提供して上記に掲示した課題を解決することが可能となる。
【考案を実施するための最良の形態】
【０００７】
以下、本考案の実施例を図面に基づいて説明する。
図１は、本考案の実施例による運動マットを示す立体図である、図２は、本考案の実施例による運動マットの断面示意図である。運動マット１０は、一つの発泡層１２と、一つの布層１４が相対で貼り合わされてなる。布層１４は、表面に多数の通し孔２２がある布材（網布でも良い）である。発泡層１２、と布層１４の貼り合せの方式は、布層１４を滑り防止効果がある発泡材料（例えばゴム、ＳＢＲ,ＰＶＣ,ＰＰ,ＰＵ或いはＥＶＡ等の発泡材料）の上に平らに敷いた後に加圧で発泡成形し、発泡材料を発泡層１２に成形する。発泡材料は加圧の過程中に、布層１４の通し孔２２から、布層１４の表面に突伸することが可能である。これによって、発泡層１２に一つの板体２４と、多数個の布層１４の表面に突伸した突き上げ２６を形成する。又、布層１４の表面は、更に図案或いは文字を印刷することが可能である。図案或いは文字の印刷の方法は二つの方式があり、一つは、布層１４と発泡層１２が発泡圧合せした後に、又布層１４の表面に図案或いは文字を印刷する。もう一つは、布層１４の表面に事前に図案或いは、文字を印刷した後に、発泡層１２と発泡圧合を行う。
【０００８】
これで、運動マット１０は、ヨガマットに使用することが可能となる。さらに布層１４の表面には図案或いは文字が印刷されているので、習知の完全に発泡材料で作ったヨガマットと比較すると、全体の外視の美しさを増進することを得ることが可能である。次に、布層１４の表面は、更に多数の突き上げ２６が突き出しているために、運動マット１０は、習知のヨガマットよりも更に美感があり、消費者の購買を吸引することが可能となる。更に、ヨガの練習者が運動マット１０の上で運動した時では、多数の突き上げ２６によって滑り防止の効果を生じることが可能である。
【０００９】
又、本実施例の運動マットの中の布層は、一般の布材に限らず、各突き上げも、上記に掲示した柱状に制限されない。布層はただ図案或いは文字の印刷が可能で、そして、各突き上げは、ただ少々布層から突き出して、滑り防止の効果（塊状の如し）を生じ、これで本考案の需要に符号するので、本考案の技術範疇に属する。
【００１０】
上記のように本考案は、布層の表面に図案或いは文字を印刷する及び、滑り防止の効果を達成させることが可能である。
【図面の簡単な説明】
【００１１】
【図１】本考案の実施例による運動マットを示す立体図である。
【図２】本考案の実施例による運動マットを示す断面図である。
【符号の説明】
【００１２】
１０  運動マット１２  発泡層、１４  布層１４、２２  通し孔、２４  板体、２６  突き上げ
【図１】
0003117371.tif 000003
【図２】
0003117371.tif 000004
(57)【要約】【課題】火災などの緊急避難時に、酸素と共に照明手段を提供する。【解決手段】照明具付の酸素ボンベは、酸素ボンベ１０と照明具２０から構成され、酸素ボンベの圧力調節バルブ１１の最上端に結合台１２を設け、その結合台上にねじ山１４を形成した開口１３を成形する。照明具は乾電池、充電電池等の携帯電源を具え、照明具の底部には凸柱２２を成形し、その凸柱外周壁にもネジ山２２を形成して、照明具と酸素ボンベを結合する。酸素と共に照明手段が確保され、火災時の停電により照明が得られない状況においても、避難路を見出すことができる【選択図】図１
0003117312.tif 000002
【実用新案登録請求の範囲】
【請求項１】
圧力調節バルブの最上端に結合台を設け、その結合台上に内周面にねじた山を形成した開口を設けた酸素ボンベと、
携帯電源を具え、底部には凸柱を成形し、その凸柱外周壁には酸素ボンベの開口内周壁に形成したネジ山と対応するネジ山を設けて、該照明具と結合したことを特徴とする照明具付の酸素ボンベ。
【請求項２】
上記携帯電源が乾電池もしくは充電式電池であることを特徴とする請求項１記載の照明具付の酸素ボンベ。
【考案の詳細な説明】
【技術分野】
【０００１】
本考案は、照明具付の酸素ボンベに関するもので、酸素ボンベによって、酸素が供給され、上部の照明具により周囲が明るくなり、避難しやすいものである。
【背景技術】
【０００２】
今日の建築物は、以前のような低い建物ではなく、高層となってそれぞれが競い合うように高層化の傾向が進んでいる。低いもので１０階、２０階立て、高いものでは４,５０階立て以上である。このような高層ビル化によって、都市の土地不足は解決されるが、代わりに公共安全の問題が高まる結果となり、高層ビルで火災が発生した場合の避難が最も問題が大きい。火災が発生した時、炎が燻り、煙による害が最も恐ろしい。火災が大きくなると、濃煙が充満する速度は炎が回る速度より早い。そのため、火災の被害者は濃煙による咳き込みや一酸化中毒の被害を受ける。この問題を解決するため、一般の建築物には避難用の酸素ボンベを設置して、酸素を吸入しながら避難できるようにするなどしており、火災時の被害を少なくするようにしている。
【０００３】
しかし、火災が発生すると、電源が遮断されるため、照明はできない。このため、火災の時は現場は真っ暗な状態で、避難する人は出口が見つからず、現場で立ち往生し、被害に遭う人も少なくない。
【特許文献１】特開２００３−１６３５０号公報
【特許文献２】特開平５−１７７００４号公報
【考案の開示】
【考案が解決しようとする課題】
【０００４】
解決しようとする問題点は、酸素ボンベがビルに備え付けられていても、火災時には電源が遮断されて真っ暗になり、出口が見つけられなくなる点である。
【課題を解決するための手段】
【０００５】
本考案は、酸素ボンベと照明具から構成される。そのうち、酸素ボンベの圧力調節バルブの最上端に結合台を設置し、その結合台上に開口を成形する。その開口内周にはネジ山を設置する。照明具は携帯電源(例として乾電池、充電電池等)を具え、照明設備の底部には凸柱を成形する。その凸柱外周壁にもネジ山を設置し、凸柱上のネジ山を酸素ボンベの結合台に螺設し、照明具と酸素ボンベを結合することを最も主要な特徴とする。
【考案の効果】
【０００６】
本考案の照明具付の酸素ボンベは、火災現場から避難する際に、酸素ボンベによって、酸素が供給され、上部の照明具により周囲が明るくなり、避難しやすいという利点がある。
【考案を実施するための最良の形態】
【０００７】
図１に示すとおり、穂は酸素ボンベ１０と照明具２０を含む。そのうち、
【０００８】
酸素ボンベ１０(図２、３参照)は、圧力調節バルブ１１の最上端に結合台１２が設置され、その結合台１２上には開口１３が形成される。開口１３内周面にはネジ山１４が設けられている。
【０００９】
照明具２０は、携帯電源(例として乾電池、充電電池等)を設置する。この照明具２０底部には凸柱２１が成形され、その凸柱２１の外周壁にはネジ山２２が設けられる。凸柱２１上に設置されたネジ山２２を酸素ボンベ１０の結合台１２に設置されたネジ山１４に合わせて螺設し、照明具２０を酸素ボンベ１０に結合する。
【図面の簡単な説明】
【００１０】
【図１】本考案の分解立体図である。
【図２】本考案の組立立体図である。
【図３】本考案の局部断面図である。
【符号の説明】
【００１１】
１０        酸素ボンベ
１１        圧力調節バルブ
１２        結合台
１３        開口
１４        ネジ山
２０        照明具
２１        凸柱
２２        ネジ山
【図１】
0003117312.tif 000003
【図２】
0003117312.tif 000004
【図３】
0003117312.tif 000005